(57)【要約】【課題】メールやインターネットへのアクセスなどが行えるＰＤＡなどの電子端末装置で、表示画面の幅狭方向と幅広方向とでトラックボールの回転のさせ方を変化させる必要なく、常に適切且つ容易にポインタ（カーソル）を移動表示させる。【解決手段】縦横比が大きく異なる表示装置（画面）１５で表示されるポインタ（カーソル）Ｐをトラックボール部１７のボール回転操作により移動表示させる際、表示短辺方向１５Ｓに対応するボール操作（Ｙ）の回転量Ａｓよりも表示長辺方向１５Ｌに対応するボール操作（Ｘ）の回転量Ａｌに対して大きな補正値Ｂｌを乗算し、この補正後のボール回転量に応じた移動量でポインタＰを移動表示させる。ポインタＰを長辺方向１５Ｌへ移動表示させる場合でもそのボール操作の仕方を短辺方向１５Ｓへの移動表示に伴うボール操作の仕方と変えること無しにポインタＰの移動表示を高速且つ容易に行うことができる。【選択図】      図３
2008046768.tif 000002
【特許請求の範囲】
【請求項１】
表示部と、
トラックボールと、
このトラックボールのユーザ操作によるＸ方向及びＹ方向のボール回転方向とその各回転量を検出する回転検出手段と、
この回転検出手段により検出された前記トラックボールのボール回転方向とその各回転量に応じて、当該ボール回転量をＸ方向の回転量とＹ方向の回転量とで異なる値の補正係数を設定して補正する回転量補正手段と、
この回転量補正手段により補正された前記トラックボールのＸ方向及びＹ方向のボール回転方向とその各回転量に応じて前記表示部の表示画面に表示されるポインタを移動表示させるポインタ移動表示制御手段と、
を備えたことを特徴とする電子端末装置。
【請求項２】
前記表示部はその縦横比が異なる表示画面を有し、
前記回転量補正手段は、前記表示画面の長辺方向に対応するＸ方向またはＹ方向のボール回転量を同表示画面の短辺方向に対応するＹ方向またはＸ方向のボール回転量よりも大きい補正係数を設定して補正する、
ことを特徴とする請求項１に記載の電子端末装置。
【請求項３】
前記表示部の表示画面をその縦方向と横方向とで回転させる表示部回転手段と、
この表示部回転手段による前記表示部の回転方向を検出する表示部回転検出手段とを備え、
前記回転量補正手段は、前記表示部回転検出手段により検出された前記表示部の回転方向に従って、その表示画面の長辺方向に対応するＸ方向またはＹ方向のボール回転量を同表示画面の短辺方向に対応するＹ方向またはＸ方向のボール回転量よりも大きい補正係数を設定して補正する、
ことを特徴とする請求項２に記載の電子端末装置。
【請求項４】
前記回転量補正手段により設定される補正係数は、第１の補正係数と第２の補正係数とからなり、当該第２の補正係数によるボール回転量の補正は、前記表示部回転検出手段により前記表示部の表示画面の長辺方向が前記トラックボールのＸ方向の回転方向と一致する方向として検出された場合にだけ追加で行われることを特徴とする請求項３に記載の電子端末装置。
【請求項５】
外部ＰＣと接続するＰＣ接続手段と、
前記外部ＰＣの表示画面のサイズより前記表示部の表示画面のサイズの方が小さい場合に、当該表示部の表示画面サイズに対する前記外部ＰＣの表示画面サイズの比率を算出する画面比率算出手段と、
この画面比率算出手段により算出された表示画面サイズの比率に従って、前記回転検出手段により検出された前記トラックボールのＸ方向のボール回転量とＹ方向のボール回転量とを補正する回転量補正手段と、
この回転量補正手段により補正された前記トラックボールのＸ方向及びＹ方向の各ボール回転量を前記外部ＰＣへ出力するボール回転量出力手段と、
を備えたことを特徴とする請求項１ないし請求項４の何れか１項に記載の電子端末装置。
【発明の詳細な説明】
【技術分野】
【０００１】
本発明は、メールやインターネットへのアクセスなど、ＰＤＡ(Personal Digital Assistant)的な使い方が行える電子端末装置に関する。
【背景技術】
【０００２】
近年、メールやインターネットへのアクセスが携帯電話・ＰＤＡなどの携帯端末装置から行えるようになっている。
【０００３】
このような携帯端末装置において、ＷＷＷブラウザを利用して各種Ｗｅｂサイトのページを表示させる場合、従来の携帯電話にあるように小さな表示画面では非常に見辛いため、縦横比の大きな表示画面を、携帯性を損なわない構造にして搭載したものが実用化されている。
【０００４】
そして、携帯端末装置では、通常片手でのキー操作によって画面上に表示されたポインタ（カーソル）の移動などを行うものであるが、例えばカーソルキーの連続操作によって表示画面上のポインタを縦または横の長い方向に移動表示させる場合、当該ポインタを長距離移動させるのが非常に面倒で時間の掛かる問題がある。
【０００５】
このため、携帯端末装置にあっても、ポインティングデバイスとしてトラックボールを備えさせることにより、ポインタ移動操作の容易化を図ることが考えられる。そして、トラックボールの操作回転速度に応じてポインタ表示の移動距離を補正し、さらにポインタ移動操作の高速化・容易化を図ることが考えられている（例えば、特許文献１参照。）。
【特許文献１】特開平１０−１１１７６０号公報
【発明の開示】
【発明が解決しようとする課題】
【０００６】
しかしながら、前記トラックボールの回転速度に応じてポインタ（カーソル）表示の移動距離を補正する従来のポインタ表示制御手法では、表示画面の縦横比に関係なく、高速にトラックボールを回転操作すればその回転量が同一であってもポインタは通常より長距離を移動して表示されるようになるため、ポインタを画面幅狭方向に適切に移動表示させる場合と幅広方向に適切に移動表示させる場合とで、トラックボールの回転のさせ方を変化させなければならない必要が生じてくる。
【０００７】
本発明は、このような課題に鑑みなされたもので、表示画面の幅狭方向と幅広方向とでトラックボールの回転のさせ方を変化させる必要なく、常に適切且つ容易にポインタ（カーソル）を移動表示させることが可能になる電子端末装置を提供することを目的とする。
【課題を解決するための手段】
【０００８】
請求項１に記載の電子端末装置は、表示部と、トラックボールと、このトラックボールのユーザ操作によるＸ方向及びＹ方向のボール回転方向とその各回転量を検出する回転検出手段と、この回転検出手段により検出された前記トラックボールのボール回転方向とその各回転量に応じて、当該ボール回転量をＸ方向の回転量とＹ方向の回転量とで異なる値の補正係数を設定して補正する回転量補正手段と、この回転量補正手段により補正された前記トラックボールのＸ方向及びＹ方向のボール回転方向とその各回転量に応じて前記表示部の表示画面に表示されるポインタを移動表示させるポインタ移動表示制御手段とを備えたことを特徴としている。
【０００９】
請求項２に記載の電子端末装置は、前記請求項１に記載の電子端末装置において、前記表示部はその縦横比が異なる表示画面を有し、前記回転量補正手段は、前記表示画面の長辺方向に対応するＸ方向またはＹ方向のボール回転量を同表示画面の短辺方向に対応するＹ方向またはＸ方向のボール回転量よりも大きい補正係数を設定して補正することを特徴としている。
【００１０】
請求項３に記載の電子端末装置は、前記請求項２に記載の電子端末装置において、前記表示部の表示画面をその縦方向と横方向とで回転させる表示部回転手段と、この表示部回転手段による前記表示部の回転方向を検出する表示部回転検出手段とを備え、前記回転量補正手段は、前記表示部回転検出手段により検出された前記表示部の回転方向に従って、その表示画面の長辺方向に対応するＸ方向またはＹ方向のボール回転量を同表示画面の短辺方向に対応するＹ方向またはＸ方向のボール回転量よりも大きい補正係数を設定して補正することを特徴としている。
【００１１】
請求項４に記載の電子端末装置は、前記請求項３に記載の電子端末装置において、前記回転量補正手段により設定される補正係数は、第１の補正係数と第２の補正係数とからなり、当該第２の補正係数によるボール回転量の補正は、前記表示部回転検出手段により前記表示部の表示画面の長辺方向が前記トラックボールのＸ方向の回転方向と一致する方向として検出された場合にだけ追加で行われることを特徴としている。
【００１２】
請求項５に記載の電子端末装置は、前記請求項１ないし請求項４の何れか１項に記載の電子端末装置において、外部ＰＣと接続するＰＣ接続手段と、前記外部ＰＣの表示画面のサイズより前記表示部の表示画面のサイズの方が小さい場合に、当該表示部の表示画面サイズに対する前記外部ＰＣの表示画面サイズの比率を算出する画面比率算出手段と、この画面比率算出手段により算出された表示画面サイズの比率に従って、前記回転検出手段により検出された前記トラックボールのＸ方向のボール回転量とＹ方向のボール回転量とを補正する回転量補正手段と、この回転量補正手段により補正された前記トラックボールのＸ方向及びＹ方向の各ボール回転量を前記外部ＰＣへ出力するボール回転量出力手段とを備えたことを特徴としている。
【発明の効果】
【００１３】
本発明の請求項１に記載の電子端末装置によれば、トラックボールのユーザ操作によるＸ方向及びＹ方向のボール回転方向とその各回転量を検出し、この検出されたトラックボールのボール回転方向とその各回転量に応じて、当該ボール回転量をＸ方向の回転量とＹ方向の回転量とで異なる値の補正係数を設定して補正する。そして、この補正されたトラックボールのＸ方向及びＹ方向のボール回転方向とその各回転量に応じて、表示部の表示画面に表示されるポインタを移動表示制御するので、表示部の長辺方向に対応する側のＸ方向またはＹ方向のボール回転量を大きな補正係数にて補正することで、表示短辺方向と変わらぬボール回転操作によって表示長辺方向でのポインタ移動表示も適切にストレスなく行うことができる。
【００１４】
本発明の請求項２に記載の電子端末装置によれば、前記請求項１に記載の電子端末装置において、回転量補正手段では、表示画面の長辺方向に対応するＸ方向またはＹ方向のボール回転量を同表示画面の短辺方向に対応するＹ方向またはＸ方向のボール回転量よりも大きい補正係数を設定して補正するので、表示短辺方向と変わらぬボール回転操作によって表示長辺方向でのポインタ移動表示も適切にストレスなく行うことができる。
【００１５】
本発明の請求項３に記載の電子端末装置によれば、前記請求項２に記載の電子端末装置において、回転量補正手段は、表示部回転検出手段により検出された表示部の回転方向に従って、その表示画面の長辺方向に対応するＸ方向またはＹ方向のボール回転量を同表示画面の短辺方向に対応するＹ方向またはＸ方向のボール回転量よりも大きい補正係数を設定して補正するので、縦横サイズが異なる表示画面を適宜ブラウザの種類によって縦長または横長に回転して使用できる場合でも、自動的に表示長辺方向でのポインタ移動表示を適切にストレスなく行わせることができる。
【００１６】
本発明の請求項４に記載の電子端末装置によれば、前記請求項３に記載の電子端末装置において、回転量補正手段により設定される補正係数は、第１の補正係数と第２の補正係数とからなり、当該第２の補正係数によるボール回転量の補正は、表示部回転検出手段により表示部の表示画面の長辺方向がトラックボールのＸ方向の回転方向と一致する方向として検出された場合にだけ追加で行われるので、装置本体を例えば片手で持ってその親指によりトラックボールを回転操作する場合に、回転操作し難い親指幅方向（Ｘ方向）へのボール回転操作によって表示長辺方向へのポインタ移動制御を行うときには、更なる補正を行って当該表示長辺方向でのポインタ移動表示をより適切にストレスなく行うことができる。
【００１７】
本発明の請求項５に記載の電子端末装置によれば、前記請求項１ないし請求項４の何れか１項に記載の電子端末装置において、さらに、外部ＰＣのリモート端末として接続使用する際に、外部ＰＣの表示画面のサイズより表示部の表示画面のサイズの方が小さい場合には、当該表示部の表示画面サイズに対する外部ＰＣの表示画面サイズの比率を算出し、この算出された表示画面サイズの比率に従って、回転検出手段により検出されたトラックボールのＸ方向のボール回転量とＹ方向のボール回転量とを補正して外部ＰＣへ出力するので、外部ＰＣ側の表示画面上に表示されたポインタを、リモート端末側でのトラックボールの回転操作によって違和感の無い移動量で移動表示させることができる。
【００１８】
よって本発明によれば、表示画面の幅狭方向と幅広方向とでトラックボールの回転のさせ方を変化させる必要なく、常に適切且つ容易にポインタ（カーソル）を移動表示させることが可能になる電子端末装置を提供できる。
【発明を実施するための最良の形態】
【００１９】
以下図面により本発明の実施の形態について説明する。
【００２０】
（第１実施形態）
図１は、本発明の実施形態に係る電子端末装置１０の外観構成を示す図であり、同図（Ａ）〜（Ｄ）は、縦長の装置本体１１の正面に対して水平方向に回動可能に重ね合わせて設けられた表示ユニット１２をそれぞれ０度回転（Ａ）、９０度回転（Ｂ）、１８０度回転（Ｃ）、２７０度回転（Ｄ）の状態にして示す正面図および上部側面図である。
【００２１】
装置本体１１の正面には、その下半分の領域にキー入力装置１３が設けられ、また上半分の領域の中央に設けられた回転軸１４を支持点として表示ユニット１２が設けられる。
【００２２】
この表示ユニット１２は、縦長である装置本体１１の平面縦横サイズと同一の平面サイズを有し、その表面のほぼ全域を占有して縦横比の大きく異なる表示装置（画面）１５が設けられる。
【００２３】
そして、前記図１（Ａ）で示す表示ユニット１２の正面上端部にはマイク１６ａが設けられ、正面下端部にはスピーカ１６ｂが設けられる。このマイク１６ａおよびスピーカ１６ｂは、図１（Ｃ）で示す表示ユニット１２の１８０度回転状態でその上下位置が反転し、通話用のマイク１６ａおよびスピーカ１６ｂとして機能する。
【００２４】
前記表示ユニット１２は、図１（Ａ）〜（Ｄ）の矢印ｒ１〜ｒ３で示したように、装置本体１１に対する０度回転、９０度回転、１８０度回転、２７０度回転のそれぞれの回転位置において、回転軸１４に設けられた図示しないラッチ機構によってラッチ保持され、同回転軸１４に設けられたロータリエンコーダなどの表示部回転検出器１４ｒによってその回転位置が検出される。
【００２５】
図２は、前記電子端末装置１０の表示ユニット１２を０度回転位置にしたユーザ使用状態を示す正面図である。
【００２６】
図３は、前記電子端末装置１０の表示ユニット１２を９０度回転位置にしたユーザ使用状態を示す正面図である。
【００２７】
図４は、前記電子端末装置１０の表示ユニット１２を１８０度回転位置にしたユーザ使用状態を示す正面図である。
【００２８】
すなわちこの電子端末装置１０において、図１（Ａ）および図２で示すような表示ユニット１２の０度回転位置では、携帯便利な最小形状となりビューアとして利用可能な状態になる。また、図１（Ｂ）および図３で示すような表示ユニット１２の９０度回転位置または図１（Ｄ）で示すような表示ユニット１２の２７０度回転位置では、メール表示やＷｅｂサイトのページ表示に適した横長表示状態となる。さらにまた図１（Ｃ）および図４で示すような表示ユニット１２の１８０度回転位置では、通話に適した本体形状になり、携帯電話用ブラウザのコンテンツ表示に適した縦長表示状態となる。
【００２９】
そして、装置本体１１の裏面側の一方の側端部には、例えば図２〜図４で示したように、装置本体１１を把持するユーザの左手Ｈの親指に合わせた位置にトラックボール部１７が設けられる。このトラックボール部１７は、表示装置（画面）１５に表示されるポインタ（カーソル）Ｐを移動させるためのポインティングデバイスとして機能する。
【００３０】
表示装置（画面）１５に表示されるポインタＰは、前記トラックボール部１７のＸ方向，Ｙ方向へのボール回転動作に伴い、当該表示装置（画面）１５の各回転位置に応じたＸ軸方向，Ｙ軸方向へ移動表示される。図１（Ａ）および図２で示す表示装置（画面）１５の０度回転位置、図１（Ｃ）および図４で示す同１８０度回転位置では、その表示短辺方向１５ＳがＸ軸方向、表示長辺方向１５ＬがＹ軸方向に設定され、図１（Ｂ）および図３で示す表示装置（画面）１５の９０度回転位置、図１（Ｄ）で示す同２７０度回転位置では、その表示長辺方向１５ＬがＸ軸方向、表示短辺方向１５ＳがＹ軸方向に設定されて、ポインタＰの移動表示制御が行われる。
【００３１】
この電子端末装置１０において、例えば図２〜図４で示したように、装置本体１０をユーザの左手で把持し、その親指によってトラックボール部１７を回転操作した場合、Ｙ方向への回転は該親指の長さ方向の面を使用して一操作あたり長い回転量が得られる一方で、Ｘ方向への回転は同親指幅方向の面を使用するので、一操作あたりに得られる回転量は短くなる。
【００３２】
図５は、前記電子端末装置１０の電子回路の構成を示すブロック図である。
【００３３】
この電子端末装置１０は、インターネットとの通信機能を備えた携帯電話あるいはＰＤＡとして機能するもので、コンピュータであるＣＰＵ２０を備えている。
【００３４】
このＣＰＵ２０は、ＲＯＭ２１に予め記憶される装置制御プログラム、あるいは通信装置２２を介して接続通信されるインターネット上のプログラムサーバ（図示せず）からダウンロードされて取り込まれた装置制御プログラム、あるいは外部Ｉ／Ｏ２３を介して接続される電子機器やメモリカード（図示せず）から取り込まれた装置制御プログラムに従って、ＲＡＭ２４を作業用のメモリとして回路各部の動作を制御する。
【００３５】
ＣＰＵ２０には、前記キー入力装置１３、表示装置（画面）１５の回転角度を検出する表示部回転検出器１４ｒ、トラックボール部１７におけるトラックボール１７ＢのＸ方向の時間あたりの回転動作量（回転角パルス数Ａｘ）を検出する回転検出器（Ｘ）１７Ｘ、同Ｙ方向の時間あたりの回転動作量（回転角パルス数Ａｙ）を検出する回転検出器（Ｙ）１７Ｙ、ＲＯＭ２１、通信装置２２、外部Ｉ／Ｏ２３、ＲＡＭ２４が接続される他に、表示制御装置２５を介して表示装置（画面）１５が接続される。
【００３６】
そして、この電子端末装置１０の電子回路は、充電池などの２次電池電源２６から電源制御部２７を介して回路各部に供給される電源電圧によって駆動される。
【００３７】
ＲＯＭ２１には、本装置１０全体の動作を司るシステムプログラムが記憶されると共に、移動電話用通信制御プログラム、インターネット用通信制御プログラム、各種の通信接続に伴うブラウザ制御プログラム、メール制御プログラム、およびポインタの移動制御プログラムなどが記憶される。
【００３８】
また、ＲＡＭ２４には、前記ポインタ移動制御プログラムの実行に伴いアクセスされるトラックボール回転動作量の補正値テーブル２４Ｌ（図６（Ａ）参照），２４Ｓ（図６（Ｂ）参照），２４Ｅ（図７参照）が予め記憶される。
【００３９】
図６は、前記電子端末装置１０に記憶されたトラックボール回転動作量の補正値テーブルを示す図であり、同図（Ａ）は表示長辺方向１５Ｌのボール回転量（回転角パルス数Ａｌ）と表示短辺方向１５Ｓのボール回転量（回転角パルス数Ａｓ）とに応じた当該長辺方向１５Ｌのボール回転量（回転角パルス数Ａｌ）に対する補正値Ｂｌのテーブル２４Ｌを示す図、同図（Ｂ）は表示長辺方向１５Ｌのボール回転量（回転角パルス数Ａｌ）と表示短辺方向１５Ｓのボール回転量（回転角パルス数Ａｓ）とに応じた当該短辺方向１５Ｓのボール回転量（回転角パルス数Ａｓ）に対する補正値Ｂｓのテーブル２４Ｓを示す図である。
【００４０】
この表示長辺方向１５Ｌの補正値（Ｂｌ）テーブル２４Ｌによれば、表示短辺方向１５Ｓに対応したボール回転量（回転角パルス数Ａｓ）の大小に関わらず、表示長辺方向１５Ｌに対応したボール回転量（回転角パルス数Ａｌ）が大きくなるのに応じて当該長辺方向回転量Ａｌに対する乗算補正値Ｂｌも大きくセットされる。
【００４１】
一方、前記表示短辺方向１５Ｓの補正値（Ｂｓ）テーブル２４Ｓによれば、表示短辺方向１５Ｓに対応したボール回転量（回転角パルス数Ａｓ）が大きくなっても当該短辺方向回転量Ａｓに対する乗算補正値Ｂｓは小さな値に抑えられ、しかも表示長辺方向１５Ｌに対応したボール回転量（回転角パルス数Ａｌ）が大きくなるのに応じてその短辺方向回転量Ａｓに対する乗算補正値Ｂｓはより小さな値に抑えられる。
【００４２】
図７は、前記電子端末装置１０に記憶された表示長辺方向１５Ｌのトラックボール回転動作量（回転角パルス数Ａｌ）に対する端末表示形状に応じた追加の補正係数Ｂｅのテーブル２４Ｅを示す図である。
【００４３】
この表示長辺方向１５Ｌの追加の補正係数（Ｂｅ）テーブル２４Ｅによれば、トラックボール部１７のＸ方向に対応して表示装置１５の長辺方向１５ＬがＸ軸方向に設定される９０度および２７０度の表示回転位置では、表示長辺方向１５Ｌに対応したボール回転量（回転角パルス数Ａｌ）が大きくなるのに応じて前記長辺方向補正値Ｂｌ（図６（Ａ）参照）で補正された長辺方向ボール回転量Ａｌ×Ｂｌに対する補正係数Ｂｅが１倍→１．５倍→２倍としてセットされる。
【００４４】
すなわち、この第１実施形態の電子端末装置１０では、トラックボール部１７のボール回転動作に伴う表示装置（画面）１５上でのポインタＰの移動表示制御において、当該トラックボール部１７で検出されたＸ方向およびＹ方向への回転量に対し、表示短辺方向１５Ｓに対応する回転量よりも表示長辺方向１５Ｌに対応する回転量に重み付けした補正値Ｂｌ，Ｂｓ（図６参照）を乗算する。
【００４５】
そしてさらに、トラックボール部１７のＸ方向に対応して表示装置（画面）１５の長辺方向１５ＬがＸ軸方向に設定される当該表示装置（画面）１５の９０度回転位置（図１（Ｂ）・図３参照）および２７０度回転位置（図１（Ｄ）参照）では、前記トラックボール１７Ｂの表示長辺方向１５Ｌへの補正後のボール回転量（Ａｌ×Ｂｌ）に対してさらに補正係数Ｂｅを乗算するよう制御する。
【００４６】
これにより、表示装置（画面）１５におけるポインタ（カーソル）Ｐの長辺方向１５Ｌへの移動表示をトラックボール１７Ｂの操作手法を変えること無しに高速且つ容易に行うことを可能とし、しかも表示長辺方向１５ＬがＸ軸に設定される９０度および２７０度回転位置では、親指の幅方向の面を使用した短いトラックボール１７Ｂの回転操作量でも、高速且つ容易に前記ポインタ（カーソル）Ｐの長辺方向１５Ｌへの移動表示を行うことを可能とする。
【００４７】
次に、前記構成の第１実施形態の電子端末装置１０によるポインタＰの移動表示動作について説明する。
【００４８】
図８は、前記電子端末装置１０によるポインタＰの移動表示制御処理を示すフローチャートである。
【００４９】
トラックボール部１７のトラックボール１７Ｂがユーザによって回転操作されることにより、当該トラックボール１７Ｂの時間あたりの回転量（回転角パルス数Ａ）が各回転検出器（Ｘ）１７Ｘ，（Ｙ）１７Ｙにて検出されると（ステップＳ１）、ＲＡＭ２４に記憶されている表示長辺方向１５Ｌの補正値（Ｂｌ）テーブル２４Ｌに従い設定された補正値Ｂｌが読み出され、この長辺方向補正値Ｂｌが当該表示長辺方向１５Ｌに対応しているＸ方向またはＹ方向へのボール回転量（回転角パルス数Ａｌ）に対して乗算される（ステップＳ２）。
【００５０】
また、前記ＲＡＭ２４に記憶されている表示短辺方向１５Ｓの補正値（Ｂｓ）テーブル２４Ｓに従い設定された補正値Ｂｓが読み出され、この短辺方向補正値Ｂｓが当該表示短辺方向１５Ｓに対応しているＸ方向またはＹ方向へのボール回転量（回転角パルス数Ａｓ）に対して乗算される（ステップＳ３）。
【００５１】
例えば表示長辺方向１５Ｌに対応するボール回転量（Ａｌ）が“１０”、表示短辺方向１５Ｓに対応するボール回転量（Ａｓ）が“２”として検出された場合、前記テーブル２４Ｌからは長辺方向補正値Ｂｌ＝“４”が読み出され、検出された表示長辺方向１５Ｌのボール回転量Ａｌ＝“１０”に乗算されて補正後の長辺方向ボール回転量Ａｌ×Ｂｌ＝“４０”が得られる。一方で、前記テーブル２４Ｓからは短辺方向補正値Ｂｓ＝“１”が読み出され、検出された表示短辺方向１５Ｓのボール回転量Ａｓ＝“２”に乗算されて補正後の短辺方向ボール回転量Ａｓ×Ｂｓ＝“２”が得られる。
【００５２】
つまりこのステップＳ２，Ｓ３においては、表示長辺方向１５Ｌに対応するボール回転量Ａｌがより大きな値に補正されるようになる。
【００５３】
すると、表示部回転検出器１４ｒからの検出信号に基づき、表示装置（画面）１５の回転設定状態がその表示長辺方向１５ＬがＹ軸方向に設定される０度回転または１８０度回転の状態であるか否か（９０度回転または２７０度回転状態）が判断される（ステップＳ４）。
【００５４】
ここで、表示装置（画面）１５の回転設定状態がその表示長辺方向１５ＬがＹ軸方向に設定される０度回転（図１（Ａ）・図２参照）または１８０度回転（図１（Ｃ）・図４参照）の状態であると判断された場合には（ステップＳ４（Ｙ））、端末表示形状に応じた前記表示長辺方向１５Ｌのボール回転量Ａｌに対する追加の補正処理は行われず（ステップＳ５）、前記ステップＳ２，Ｓ３にて得られた補正後の長辺方向ボール回転量Ａｌ×Ｂｌ＝“４０”と短辺方向ボール回転量Ａｓ×Ｂｓ＝“２”がそのままＧＵＩ(Graphical User Interface)に通知される（ステップＳ７）。そして、前記補正後の長辺方向ボール回転量Ａｌ×Ｂｌ（＝“４０”）と短辺方向ボール回転量Ａｓ×Ｂｓ（＝“２”）とに応じた移動量で、表示制御部２５により表示装置（画面）１５上のポインタ（カーソル）Ｐが移動表示される。
【００５５】
これにより、表示装置（画面）１５におけるポインタ（カーソル）Ｐの長辺方向１５Ｌへの移動表示を行うためのトラックボール１７Ｂの操作の仕方を、短辺方向１５Ｓへの移動表示に伴うボール操作の仕方と変えること無しに、高速且つ容易に行うことができるようになる。
【００５６】
一方、前記ステップＳ４において、表示装置（画面）１５の回転設定状態がその表示長辺方向１５ＬがＸ軸方向に設定される９０度回転（図１（Ｂ）・図３参照）または２７０度回転（図１（Ｄ）参照）の状態であると判断された場合には（ステップＳ４（Ｎ））、ＲＡＭ２４に記憶されている表示長辺方向１５Ｌの追加の補正係数（Ｂｅ）テーブル２４Ｅに従い設定された補正係数Ｂｅが読み出され、この長辺方向補正係数Ｂｅが前記ステップＳ２にて得られた補正後の長辺方向ボール回転量（Ａｌ×Ｂｌ）に対してさらに追加で乗算される（ステップＳ６）。
【００５７】
すなわち、前記同様に、表示長辺方向１５Ｌに対応して検出されたボール回転量（Ａｌ）が“１０”である場合には、前記テーブル２４Ｅからは長辺方向補正係数Ｂｅ＝“１．５”が読み出され、前記第１補正後の長辺方向ボール回転量Ａｌ×Ｂｌ＝“４０”に追加乗算されて第２補正後の長辺方向ボール回転量Ａｌ×Ｂｌ×Ｂｅ＝“６０”が得られる。
【００５８】
つまりこのステップＳ６においては、表示長辺方向１５Ｌへのポインタ移動操作を、親指の幅方向の面を用いたトラックボール１７ＢのＸ方向操作によって行わなければならない、表示９０度回転（図１（Ｂ）・図３参照）または２７０度回転（図１（Ｄ）参照）の状態にある場合に、表示長辺方向１５Ｌに対応する第１補正後のボール回転量（Ａｌ×Ｂｌ）がさらに大きな値（Ａｌ×Ｂｌ×Ｂｅ）に補正されるようになる。
【００５９】
すると、前記ステップＳ６にて得られた第２補正後の長辺方向ボール回転量Ａｌ×Ｂｌ×Ｂｅ＝“６０”と前記ステップＳ３にて得られた第１補正後の短辺方向ボール回転量Ａｓ×Ｂｓ＝“２”がＧＵＩ(Graphical User Interface)に通知され（ステップＳ７）、これに応じた移動量で、表示制御部２５により表示装置（画面）１５上のポインタ（カーソル）Ｐが移動表示される。
【００６０】
これにより、表示長辺方向１５ＬがＸ軸に設定される表示９０度または表示２７０度の表示回転位置状態にあって、親指の幅方向の面を使用した短いトラックボール１７Ｂの回転操作量であっても、高速且つ容易にポインタ（カーソル）Ｐの長辺方向１５Ｌへの移動表示を行うことができるようになる。
【００６１】
したがって、前記構成の第１実施形態の電子端末装置１０によるポインタＰの移動表示制御機能によれば、縦横比が大きく異なる表示装置（画面）１５にて表示されるポインタ（カーソル）Ｐをトラックボール１７Ｂの回転操作によって移動表示させる際に、表示短辺方向１５Ｓに対応するボール操作の回転量Ａｓよりも表示長辺方向１５Ｌに対応するボール操作の回転量Ａｌに対して大きな補正値Ｂｌを乗算し、この補正後のボール回転量に応じた移動量でポインタＰを移動表示させるようにしたので、当該ポインタＰを長辺方向１５Ｌへ移動表示させる場合でも、そのトラックボール１７Ｂの操作の仕方を、短辺方向１５Ｓへの移動表示に伴うボール操作の仕方と変えること無しに、ポインタＰの移動表示を高速且つ容易に行うことができる。
【００６２】
また、前記構成の第１実施形態の電子端末装置１０によるポインタＰの移動表示制御機能によれば、表示長辺方向１５Ｌへのポインタ移動操作を、親指の幅方向の面を用いたトラックボール１７ＢのＸ方向操作によって行わなければならない、表示９０度回転位置または２７０度回転位置にある状態では、前記表示長辺方向１５Ｌに対応する第１補正後のボール回転量（Ａｌ×Ｂｌ）に対してさらに補正係数Ｂｅを追加で乗算するようにしたので、前記親指の幅方向の面を使用した短いトラックボール１７Ｂの回転操作量であっても、高速且つ容易にポインタ（カーソル）Ｐの長辺方向１５Ｌへの移動表示を行うことができるようになる。
【００６３】
また、前記構成の第１実施形態の電子端末装置１０によるポインタＰの移動表示制御機能によれば、前記表示長辺方向１５Ｌに対応するボール操作の回転量Ａｌに対する補正値Ｂｌや前記表示９０度回転位置または２７０度回転位置にある状態での第１補正後の長辺方向ボール回転量（Ａｌ×Ｂｌ）に対する更なる乗算補正係数Ｂｅは、ＲＡＭ２４に記憶される長辺方向補正値テーブル２４Ｌ（図６（Ａ）参照）や追加補正係数テーブル２４Ｅ（図７参照）に基づいて、当該表示長辺方向１５Ｌに対応するボール操作の回転量Ａｌが大きいほど大きな補正値Ｂｌ（補正係数Ｂｅ）に設定するようにしたので、表示長辺方向１５ＬへポインタＰをより大きく移動表示させようとするユーザ操作の意思を適切に反映させて、当該ポインタＰの移動表示を高速且つ容易に行うことができる。
【００６４】
なお、前記第１実施形態の電子端末装置１０には、さらに次の第２実施形態の電子端末装置１０（図９・図１０参照）において説明するように、当該電子端末装置１０をホストＰＣ３０のリモート端末として使用する場合のトラックボール部１７のユーザ操作に応じたＰＣ３０側ポインタ移動表示制御の補正機能を備える構成としてもよい。
【００６５】
（第２実施形態）
図９は、本発明の第２実施形態に係る電子端末装置１０を使用したコンピュータシステムの構成を示す外観図である。
【００６６】
この第２実施形態の電子端末装置１０は、当該電子端末装置１０をホストＰＣ(Personal Computer)３０のリモート端末として使用した場合のポインタＰの移動表示制御に関する。
【００６７】
ホストＰＣ３０の表示画面３１は、ＳＶＧＡ(Super Video Graphics Array)の解像度を有し、電子端末装置（リモート端末）１０の表示装置（画面）１５は、８００ピクセル×３００ピクセルのハーフＳＶＧＡで構成されるものとする。
【００６８】
電子端末装置（リモート端末）１０のリモート端末機能によってホストＰＣ３０とリモート接続されると、当該ホストＰＣ３０の表示画面３１に表示させているフル画像データＧａがリモート端末１０に転送される。
【００６９】
すると、リモート端末１０では、前記ホストＰＣ３０から転送されたフル画像データＧａが当該リモート端末１０における表示装置（画面）１５とその表示回転位置とに応じた解像度に合わせて縦方向または横方向に２分の１圧縮されてハーフ画像データＧｂに変換され、その表示装置（画面）１５に表示される。
【００７０】
図１０は、前記第２実施形態の電子端末装置１０におけるリモート接続時のホストＰＣ３０に対するポインタ移動補正値設定処理を示すフローチャートである。
【００７１】
電子端末装置（リモート端末）１０がホストＰＣ３０とリモート接続されると、当該ホストＰＣ３０からその表示画面３１の表示解像度（ＳＶＧＡ：800×600）の情報が取得され（ステップＴ１）、また本リモート端末１０における表示装置１５の表示解像度（ハーフＳＶＧＡ：800×300）の情報および表示回転位置の情報が取得される（ステップＴ２）。
【００７２】
ここで、前記ホストＰＣ３０から得られた表示画面３１の表示解像度よりも本リモート端末１０における表示装置１５の表示解像度の方が小さく、縮小表示によるＰＣ画像のリモート表示であると判断されると（ステップＴ３）、この縮小表示に伴うホストＰＣ３０側の表示解像度（ＳＶＧＡ：800×600）から本リモート端末１０側の表示解像度（ハーフＳＶＧＡ：800×300）への縦（Ｙ）方向および横（Ｘ）方向の縮小比率（この場合は、縦２分の１）が算出される（ステップＴ４）。
【００７３】
すると、このＰＣ解像度からリモート端末解像度への縮小比率に応じて、トラックボール１７ＢのＸ方向およびＹ方向の回転量Ａｘ，Ａｙに対する補正係数が設定される（ステップＴ５）。
【００７４】
すなわち、前記ＰＣ解像度からリモート端末解像度への縮小比率が縦（Ｙ方向）２分の１である場合には、その逆の縦（Ｙ方向）２倍とする補正係数Ｂｙが設定されるので、トラックボール１７ＢのＸ方向の回転動作が検出された際には、その検出されたＸ方向のボール回転量ＡｘがそのままホストＰＣ３０へ送信されて、当該ボール回転量Ａｘに応じたポインタＰのＸ方向移動表示制御が行われる一方で、トラックボール１７ＢのＹ方向の回転動作が検出された際には、その検出されたＹ方向のボール回転量Ａｙは前記補正係数Ｂｙ（２倍）で補正された後ホストＰＣ３０へ送信され、当該補正後のボール回転量２Ａｙに応じたポインタＰのＹ方向移動表示制御が行われる。
【００７５】
したがって、前記構成の第２実施形態の電子端末装置１０によれば、この電子端末装置１０をホストＰＣ３０のリモート端末として使用する場合に、当該ホストＰＣ３０の表示解像度とリモート端末１０の表示解像度との比率に応じて、ホストＰＣ３０側での表示画像データＧａを縮小しリモート端末１０側で表示させた場合でも、その縮小比率に応じた補正係数Ｂｘ，Ｂｙを設定すると共に、ポインタ（カーソル）操作に伴うトラックボール１７Ｂの回転量Ａｘ，Ａｙを前記補正係数Ｂｘ，Ｂｙを乗じた値としてホストＰＣ３０へ送信しそのポインタＰの移動表示制御を行わせるようにしたので、ホストＰＣ３０側の表示画面３１上に表示されたポインタＰを、リモート端末１０側でのトラックボール１７Ｂの回転操作によって違和感の無い移動量で移動表示させることができる。
【００７６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００７７】
【図１】本発明の実施形態に係る電子端末装置１０の外観構成を示す図であり、同図（Ａ）〜（Ｄ）は、縦長の装置本体１１の正面に対して水平方向に回動可能に重ね合わせて設けられた表示ユニット１２をそれぞれ０度回転（Ａ）、９０度回転（Ｂ）、１８０度回転（Ｃ）、２７０度回転（Ｄ）の状態にして示す正面図および上部側面図。
【図２】前記電子端末装置１０の表示ユニット１２を０度回転位置にしたユーザ使用状態を示す正面図。
【図３】前記電子端末装置１０の表示ユニット１２を９０度回転位置にしたユーザ使用状態を示す正面図。
【図４】前記電子端末装置１０の表示ユニット１２を１８０度回転位置にしたユーザ使用状態を示す正面図。
【図５】前記電子端末装置１０の電子回路の構成を示すブロック図。
【図６】前記電子端末装置１０に記憶されたトラックボール回転動作量の補正値テーブルを示す図であり、同図（Ａ）は表示長辺方向１５Ｌのボール回転量（回転角パルス数Ａｌ）と表示短辺方向１５Ｓのボール回転量（回転角パルス数Ａｓ）とに応じた当該長辺方向１５Ｌのボール回転量（回転角パルス数Ａｌ）に対する補正値Ｂｌのテーブル２４Ｌを示す図、同図（Ｂ）は表示長辺方向１５Ｌのボール回転量（回転角パルス数Ａｌ）と表示短辺方向１５Ｓのボール回転量（回転角パルス数Ａｓ）とに応じた当該短辺方向１５Ｓのボール回転量（回転角パルス数Ａｓ）に対する補正値Ｂｓのテーブル２４Ｓを示す図。
【図７】前記電子端末装置１０に記憶された表示長辺方向１５Ｌのトラックボール回転動作量（回転角パルス数Ａｌ）に対する端末表示形状に応じた追加の補正係数Ｂｅのテーブル２４Ｅを示す図。
【図８】前記電子端末装置１０によるポインタＰの移動表示制御処理を示すフローチャート。
【図９】本発明の第２実施形態に係る電子端末装置１０を使用したコンピュータシステムの構成を示す外観図。
【図１０】前記第２実施形態の電子端末装置１０におけるリモート接続時のホストＰＣ３０に対するポインタ移動補正値設定処理を示すフローチャート。
【符号の説明】
【００７８】
１０  …電子端末装置
１１  …装置本体
１２  …表示ユニット
１３  …キー入力装置
１４  …回転軸
１４ｒ…表示部回転検出器
１５  …表示装置（画面）
１５Ｌ…表示長辺方向
１５Ｓ…表示短辺方向
１６ａ…マスク
１６ｂ…スピーカ
１７  …トラックボール部
１７Ｂ…トラックボール
１７Ｘ…回転検出器（Ｘ方向）
１７Ｙ…回転検出器（Ｙ方向）
２０  …ＣＰＵ
２１  …ＲＯＭ
２２  …通信装置
２３  …外部Ｉ／Ｏ
２４  …ＲＡＭ
２４Ｌ…長辺方向補正値（Ｂｌ）テーブル
２４Ｓ…短辺方向補正値（Ｂｓ）テーブル
２４Ｅ…長辺方向追加補正係数（Ｂｅ）テーブル
２５  …表示制御装置
２６  …２次電池電源
２７  …電源制御部
３０  …ホストＰＣ
３１  …ＰＣ表示画面
Ｈ  …ユーザ左手
Ｐ  …ポインタ（カーソル）
【図１】
2008046768.tif 000003
【図２】
2008046768.tif 000004
【図３】
2008046768.tif 000005
【図４】
2008046768.tif 000006
【図５】
2008046768.tif 000007
【図６】
2008046768.tif 000008
【図７】
2008046768.tif 000009
【図８】
2008046768.tif 000010
【図９】
2008046768.tif 000011
【図１０】
2008046768.tif 000012